(57)【要約】【課題】第五輪の軸重と走行車輪の軸重の何れも規定値に収まる位置に、コンテナを載置し、かつ、フォークリフト等の荷役機械を用いた荷役作業を円滑に行う。【解決手段】後方のボルスタと車体後端１２ａとの間の位置に、車体の前後方向へと回転軸３０が延びる平行四点支持リンク３２によってメインフレーム１２に連結されたデッキ２８を備える。必要時に、積載されたコンテナの庫内床面と同等の高さまでデッキ２８を上昇させ、フォークリフト等の荷役機械の使用を可能とするものである。一方、荷役作業時以外はそれよりも低い格納位置にデッキ２８を下降させておくことで、コンテナの扉の開閉時に、扉とデッキ２８とが干渉することを防ぐ。デッキ２８の幅はトレーラの車幅より狭く形成されていることから、デッキ２８の格納位置及び上昇位置のいずれにおいても、デッキ２８がトレーラからはみ出して運行に支障を来たすことが無い。【選択図】図１
2010179809.tif 000002
【特許請求の範囲】
【請求項１】
グースネックが形成されたメインフレームの、前記グースネック後方、かつ、コンテナ積載時の重心が、第五輪の軸重と走行車輪の軸重の何れも規定値に収まる位置に、コンテナを載置する前後二対のボルスタが配置されたコンテナトレーラであって、後方のボルスタと車体後端との間の位置に、車体の前後方向へと回転軸が延びる平行四点支持リンクによってメインフレームに連結され、前記ボルスタの上面とコンテナの庫内床面との高低差分の昇降が可能なデッキが設けられ、前記デッキの幅が、格納位置及び上昇位置のいずれにおいても、トレーラの車幅に収まるように、トレーラの車幅より狭く形成されていることを特徴とするコンテナトレーラ。
【請求項２】
前記デッキは車幅の左右方向に二分割され、左右のデッキの車幅中央側端部が、その上昇位置において、車幅中央で互いに当接するように、左右のデッキの夫々が前記並行四点支持リンクによってメインフレームに連結されていることを特徴とする請求項１記載のコンテナトレーラ。
【請求項３】
前記デッキには、錘によって常時上昇方向への力を付与する付勢手段が設けられていることを特徴とする請求項１又は２記載のコンテナトレーラ。
【請求項４】
前記デッキに対し車体の前後方向へと延びる回転軸によって軸着される、昇降作業用ハンドルとしての梃子を備え、その一端が前記メインフレームに対してローラを介して接触し、他端がデッキの上方に延びていることを特徴とする請求項１から３のいずれか１項記載のコンテナトレーラ。
【発明の詳細な説明】
【技術分野】
【０００１】
本発明は、コンテナトレーラに関するものである。
【背景技術】
【０００２】
ＩＳＯで定められた国際コンテナ規格に基づき、長さが２０フィートのコンテナ（２０フィート型コンテナ）と、４０フィートのコンテナ（４０フィート型コンテナ）とが存在し、従来から、２０フィート型コンテナ専用トレーラ、４０フィート型コンテナ専用トレーラ、２０フィート型コンテナ／４０フィート型コンテナ兼用トレーラとが存在している。
そして、２０フィート型コンテナ／４０フィート型コンテナ兼用のトレーラに２０フィート型コンテナを積載する場合には、コンテナ積載時の重心が、第五輪の軸重と走行車輪の軸重の何れも規定値に収まる位置に載置される。したがって、２０フィート型コンテナ載置位置より後方に、更にトレーラのメインフレームが延びることとなるので、トレーラにコンテナを搭載した状態でのコンテナ後方からの荷役作業が、極めて困難となる。かかる問題を解決するための手法として、プラットホ−ムとコンテナとの間に生じる段差を埋めるための渡し板を、必要に応じ着脱自在に設けたコンテナトレーラが開発されている（例えば、特許文献１参照）。
【先行技術文献】
【特許文献】
【０００３】
【特許文献１】特開２０００−０１６１４５号公報（〔０００３〕、図８）
【発明の概要】
【発明が解決しようとする課題】
【０００４】
ところで、２０フィート型コンテナ／４０フィート型コンテナ兼用トレーラのみならず、２０フィート型コンテナ専用トレーラにおいても、コンテナ積載時の重心が、第五輪の軸重と走行車輪の軸重の何れも規定値に収まる位置に、コンテナを載置する必要がある。しかしながら、この条件を満足する位置にコンテナを載置すると、全長が短い２０フィート型コンテナ専用トレーラでも、コンテナの後端部はトレーラの後端部よりも前方に位置する場合がある。
このような場合には、２０フィート型コンテナ専用トレーラにおいても、２０フィート型コンテナ／４０フィート型コンテナ兼用トレーラの場合と同様に、荷役作業時にコンテナトレーラが着岸するプラットホームから、コンテナ庫内床面までの間に段差が生じ、プラットホームからコンテナトレーラのデッキ上に、フォークリフト等の荷役機械が円滑に乗り移ることが困難となる。
【０００５】
本発明は上記課題に鑑みてなされたものであり、その目的とするところは、２０フィート型コンテナ専用トレーラのごとき比較的全長の短いコンテナトレーラにおいて、コンテナ積載時の重心が、第五輪の軸重と走行車輪の軸重の何れも規定値に収まる位置に、コンテナを載置することを可能とし、かつ、荷役作業時等の必要な時に、積載されたコンテナの庫内床面と同等の高さまで上昇し、通常はそれよりも低い位置に下降するデッキを備えるコンテナトレーラを提供することにより、フォークリフト等の荷役機械を用いた荷役作業を円滑に行うことにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）グースネックが形成されたメインフレームの、前記グースネック後方、かつ、コンテナ積載時の重心が、第五輪の軸重と走行車輪の軸重の何れも規定値に収まる位置に、コンテナを載置する前後二対のボルスタが配置されたコンテナトレーラであって、後方のボルスタと車体後端との間の位置に、車体の前後方向へと回転軸が延びる平行四点支持リンクによってメインフレームに連結され、前記ボルスタの上面とコンテナの庫内床面との高低差分の昇降が可能なデッキが設けられているコンテナトレーラ。
本項に記載のコンテナトレーラは、後方のボルスタと車体後端との間の位置に、車体の前後方向へと回転軸が延びる平行四点支持リンクによってメインフレームに連結されたデッキを備え、必要時に、積載されたコンテナの庫内床面と同等の高さまでデッキを上昇させ、フォークリフト等の荷役機械の使用を可能とする。一方、荷役作業時以外はそれよりも低い格納位置にデッキを下降させておくことで、コンテナの扉の開閉時に、扉とデッキとが干渉することを防ぐ。
【０００８】
（２）上記（１）項において、前記デッキの幅が、格納位置及び上昇位置のいずれにおいても、トレーラの車幅に収まるように、トレーラの車幅より狭く形成されているコンテナトレーラ（請求項１）
本項に記載のコンテナトレーラは、前後方向へと回転軸が延びる平行四点支持リンクによってメインフレームに連結されたデッキの幅が、格納位置及び上昇位置のいずれにおいても、トレーラの車幅に収まるように、トレーラの車幅より狭く形成されていることから、デッキの格納位置及び上昇位置のいずれにおいても、デッキがトレーラからはみ出して運行に支障を来たすことが無い。
【０００９】
（３）上記（２）項において、前記デッキは車幅の左右方向に二分割され、左右のデッキの車幅中央側端部が、その上昇位置において、車幅中央で互いに当接するように、左右のデッキの夫々が前記並行四点支持リンクによってメインフレームに連結されているコンテナトレーラ（請求項２）。
本項に記載のコンテナトレーラは、二分割された左右のデッキの車幅中央側端部が、その上昇位置において、車幅中央で互いに当接することで、車幅方向に隙間の無いデッキが構成される。一方、左右に分離して下降することで、格納位置に収まるものである。又、デッキ単体の重量が軽くなり、昇降作業時に必要な操作力が軽減される。
なお、デッキは必ずしも二分割されている必要は無く、トレーラの車幅より狭く形成された一枚のデッキを、平行四点支持リンクによってメインフレームに連結するものであってもよい。
【００１０】
（４）前記デッキには、錘によって常時上昇方向への力を付与する付勢手段が設けられているコンテナトレーラ（請求項３）。
本項に記載のコンテナトレーラは、デッキに設けられた付勢手段により、常時上昇方向への力が付与されることで、デッキの上昇作業の際に、操作者に要求される力が軽減される。しかも、かかる力は錘によってもたらされるものであり、アクチュエータ等の動力源とその制御は一切不要である。
なお、付勢手段の構造としては、例えば、メインフレームに軸着される梃子の一端をデッキに軸着し、もう一端に錘を固定し、いわゆる梃子の原理を利用することにより錘の重さを効率的にデッキの上昇方向の力へと変換する構造、メインフレームに軸着される梃子の一端をデッキに軸着し、もう一端に滑車を軸着し、滑車とワイヤとを介して錘を吊り下げることにより、錘の重さを効率的にデッキの上昇方向の力へと変換する構造等が採用される。
【００１１】
（５）上記（１）から（３）項において、前記デッキに対し車体の前後方向へと延びる回転軸によって軸着される、昇降作業用ハンドルとしての梃子を備え、その一端が前記メインフレームに対してローラを介して接触し、他端がデッキの上方に延びているコンテナトレーラ（請求項４）。
本項に記載のコンテナトレーラは、昇降作業用ハンドルとしての梃子を、回転させるように操作することにより、操作力をいわゆる梃子の原理により増大し、小さな操作力でデッキを昇降させるものである。
【００１２】
（６）上記（５）項において、昇降作業用ハンドルとしての梃子は、デッキに対し着脱自在に軸着されているコンテナトレーラ。
本項に記載のコンテナトレーラは、荷役作業時及びデッキの格納時にはこの梃子を取り外すことで、梃子が荷役作業時に障害となることを防ぎ、又、デッキの格納時にも梃子が突起物としてデッキの上方に突出した状態となることを防ぐものである。
【発明の効果】
【００１３】
本発明はこのように構成したので、荷役作業時等の必要な時に、積載されたコンテナの庫内床面と同等の高さまで上昇し、通常はそれよりも低い位置に下降するデッキを備えることで、フォークリフト等の荷役機械を用いた荷役作業を円滑に行うことが可能となる。
【図面の簡単な説明】
【００１４】
【図１】本発明の実施の形態に係るコンテナトレーラのデッキを示すものであり、（ａ）は図４のＡ−Ａ断面図、（ｂ）は（ａ）のＢ−Ｂ断面図である。
【図２】図１に示されるデッキの立体模式図であり、（ａ）、（ｂ）は、錘によって常時上昇方向への力を付与する付勢手段の構造例を、（ｃ）は、昇降作業用ハンドルの構造例を示すものである。
【図３】図１に示されるデッキを備えるコンテナトレーラの側面図である。
【図４】図１に示されるデッキを備えるコンテナトレーラの平面図である。
【図５】図１に示されるデッキを備えるコンテナトレーラの後面図である。
【図６】本発明の実施の形態に係る、別構造のデッキを備えるコンテナトレーラの平面図である。
【発明を実施するための形態】
【００１５】
以下、本発明を実施するための最良の形態を添付図面に基づいて説明する。本説明において、前方はコンテナトレーラの前進方向を、後方は同後退方向を意味し、左右方向は同車幅方向を意味するものである。
【００１６】
本発明の実施の形態に係るコンテナトレーラ１０は、図３から図５に示されるように、グースネック１２ａが形成されたメインフレーム１２の、グースネック１２ａ後方、かつ、コンテナ２２積載時の重心が、キングピン（第五輪）２４の軸重と走行車輪２６の軸重の何れも規定値に収まる位置に、コンテナ５０を載置する前後二対のボルスタ１６、１８が配置されている。そして、ボルスタ１６、１８には、コンテナ固定用ツイストロック１６ａ、１８ａが出没自在に設けられている。
なお、符号２７は、コンテナトレーラ１０単体での駐車時に用いられる、ランディングギヤである。
【００１７】
又、後方のボルスタ１８と車体後端１２ｂとの間の位置に、デッキ２８が設けられている。デッキ２８は、図１に示されるように、車体の前後方向へと回転軸３０が延びる平行四点支持リンク３２によってメインフレーム１２に連結され、ボルスタ１８の上面とコンテナ２２の庫内床面との高低差分の昇降が可能となっている。なお、図１から図５の例では、デッキ２８は車幅の左右方向に二分割され、左右のデッキ２８Ｌ、２８Ｒの車幅中央側端部が、その上昇位置において、車幅中央で互いに当接するように、左右のデッキ２８Ｌ、２８Ｒの夫々が、並行四点支持リンク３２によってメインフレーム１２に連結されている。
そして、左右のデッキ２８Ｌ、２８Ｒの幅（合計）が、格納位置（図１に実線で示される）及び上昇位置（図１に点線で示される）のいずれにおいても、トレーラ１０の車幅に収まるように、トレーラ１０の車幅より狭く形成されている。図示の例では、デッキ２８の格納位置において、左右のデッキ２８とメインフレーム１２との段差を無くすための踏み板３４が、メインフレーム１２の車幅方向中央部に設けられている。
【００１８】
又、デッキ２８には、必要に応じ、図２に示されるように、常時上昇方向への力を付与する付勢手段３６が設けられている。付勢手段３６は、錘３８の自重によってデッキ２８に対し常時上昇方向への力を付与するものである。図２（ａ）の例では、メインフレーム１２に軸着される梃子４０の一端４０ａをデッキ２８に軸着し、もう一端４０ｂに錘３８を固定し、いわゆる梃子の原理を利用することにより錘の重さを効率的にデッキの上昇方向の力へと変換する構造である。
又、図２（ｂ）の例は、メインフレーム１２に軸着される梃子４２の一端４２ａをデッキ２８に軸着し、もう一端４２ｂに滑車４４を軸着し、滑車４４と、メインフレーム１２に一端４６ａが固定されたワイヤ４６の他端４６ｂに錘３９を吊り下げ、梃子４２と滑車４４とワイヤ４６とによって、錘３８の重さを効率的にデッキ１２の上昇方向の力へと変換する構造である。
【００１９】
更には、図２（ｃ）に示されるように、必要に応じ、デッキ１２に昇降作業用ハンドル４８を設けることとしても良い。昇降作業用ハンドル４８は、車体の前後方向へと延びる回転軸５０によって着脱自在に軸着される梃子であり、好ましくはデッキ２８に対し着脱自在となっている。そして、図示のごとくデッキ２８に軸着された状態で、その一端４８ａがメインフレーム１２に対してローラ５２を介して接触し、他端がデッキ２８の上方に延びたものである。
【００２０】
なお、図１（ａ）に符号５４で示される部品は、デッキ２８を格納位置に固定し、又は、上昇位置において左右のデッキ２８Ｌ、２８Ｒを連結するための固定ピンであり、符号５６で示される部品は、左右一方のデッキ２８（２８Ｌ）に軸着された連結金具であり、固定ピン５４を挿通することで、デッキ２８を格納位置に固定し、又は、上昇位置において左右のデッキ２８Ｌ、２８Ｒを連結することができる。
又、符号５８に示される部品は、デッキ２８の幅方向中間部に固定された、中間支持材であり、デッキ２８の上昇位置において、メインフレーム１２に固定された受け金具６０に当接することで、デッキ２８の荷重を受けるものである。そして、中間支持材５８の下端部と受け金具６０の上面とは、並行四点支持リンク３２によるデッキ２８の昇降の際に、両者が不要に干渉することの無いように、傾斜面となっている。
【００２１】
上記構成をなす。本発明の実施の形態によれば、次のような作用効果を得ることが可能である。まず、本項に記載のコンテナトレーラ１０は、後方のボルスタ１８と車体後端１２ａとの間の位置に、車体の前後方向へと回転軸３０が延びる平行四点支持リンク３２によってメインフレーム１２に連結されたデッキ２８を備え、必要時に、積載されたコンテナ２２の庫内床面と同等の高さまでデッキ２８を上昇させ、フォークリフト等の荷役機械の使用を可能とするものである。一方、荷役作業時以外はそれよりも低い格納位置にデッキ２８を下降させておくことで、コンテナ２２の扉の開閉時に、扉とデッキ２８とが干渉することを防ぐことができる。
【００２２】
しかも、デッキ２８の幅が、格納位置及び上昇位置のいずれにおいても、トレーラ１０の車幅に収まるように、トレーラの車幅より狭く形成されていることから、デッキ２８の格納位置及び上昇位置のいずれにおいても、デッキ２８がトレーラ１０からはみ出して運行に支障を来たすことが無い。
【００２３】
図１〜図５の例では、デッキ２８は車幅の左右方向に二分割され、又、二分割された左右のデッキ２８Ｌ、２８Ｒの車幅中央側端部が、その上昇位置において、車幅中央で互いに当接することで、車幅方向に隙間の無いデッキが構成され、左右に分離して下降することで、格納位置に収まるものである。又、デッキ２８Ｌ、２８Ｒ単体の重量が軽くなり、昇降作業時に必要な操作力が軽減される。
なお、デッキ２８は必ずしも二分割されている必要は無く、図６に示されるように、トレーラの車幅より狭く形成された一枚のデッキ１２８を、図１に示された平行四点支持リンク３２によってメインフレーム１２に連結するものであってもよい。この場合にも、デッキ２８の格納位置において、デッキ１２８とメインフレーム１２との段差を無くすための踏み板３４を、車幅方向側端部に設けることが望ましい。
【００２４】
又、本発明の実施の形態に係るコンテナトレーラ１０は、デッキ２８に設けられた付勢手段３６により、常時上昇方向への力が付与されることで、デッキ２８の上昇作業の際に、操作者に要求される力が軽減される。しかも、かかる力は錘３８によってもたらされるものであり、アクチュエータ等の動力源とその制御は一切不要である。
【００２５】
又、昇降作業用ハンドル４８を回転させるように操作することにより、操作力をいわゆる梃子の原理により増大し、小さな操作力でデッキ２８を昇降させることが可能である。そして、荷役作業時及び格納時にはこの梃子を取り外すことにより、荷役作業時及びトレーラの走行時に、昇降作業用ハンドル４８がデッキ２８の上方に突出することを防ぐことができる。なお、昇降作業用ハンドル４８が折り畳み式であれば、デッキ２８に対し着脱自在である必要はない。
【符号の説明】
【００２６】
１０：コンテナトレーラ、１２：メインレール、１２ａ：グースネック、１２ｂ：車体後端、  １６、１８、ボルスタ、２２：コンテナ、２４：キングピン、２６：走行車輪、  ２８、２８Ｌ、２８Ｒ：デッキ、  ３０、５０：回転軸、３２：平行四点支持リンク、３６：付勢手段、３８：錘、  ４０、４２：梃子、４４：滑車、４６：ワイヤ、４８：昇降作業用ハンドル、５２：ローラ
【図１】
2010179809.tif 000003
【図２】
2010179809.tif 000004
【図３】
2010179809.tif 000005
【図４】
2010179809.tif 000006
【図５】
2010179809.tif 000007
【図６】
2010179809.tif 000008